(57)【要約】【課題】各ゴルフプレーヤのプレー位置からピンへの正確なアプローチ情報をリアルタイムで提供可能なゴルフコースデータ提供システムを提案すること。【解決手段】移動端末３を利用したゴルフコースデータ提供システム１は、携帯電話３にゴルフコースデータを提供可能なゴルフデータ提供装置２を有している。ゴルフデータ提供装置２は、携帯電話３からデータ要求があると、当該携帯電話３の位置をＧＰＳシステム４からの航法情報を用いて検出し、当該携帯電話の位置、換言するとプレーヤの位置から当該ゴルフコースのピンへのアプローチ情報（バンカー位置、池位置、ピンまでの距離など）をゴルフコースデータベースから検索して送信画像データを作成して携帯電話に送信する。プレーヤは携帯電話３に表示されるアプローチ情報に基づきプレーを行うことができる。【選択図】　　　図１
2004120454.tif 000002
【特許請求の範囲】
【請求項１】
携帯電話などの移動端末と、
この移動端末の位置を検出する移動端末位置検出手段と、
ゴルフコース情報が記憶保持されているゴルフコースデータベースと、
このゴルフコースデータベースに登録されているデータを前記移動端末からの要求に応じて当該移動端末に送信するゴルフデータ提供装置とを有し、
前記ゴルフデータ提供装置は、
前記移動端末からのデータ要求を受信する受信部と、
前記位置検出手段によって検出された前記移動端末の位置および前記データ要求に基づき、前記移動端末に提供すべき送信画像データを前記ゴルフコースデータベースの登録内容に基づき生成する送信画像データ生成部と、
生成された送信画像データを前記移動端末に送信する送信部と、
前記ゴルフコースデータベースの編集および更新を行う編集・更新部とを備えている
ことを特徴とする移動端末を用いたゴルフコースデータ提供システム。
【請求項２】
請求項１において、
前記ゴルフコースデータベースには、少なくとも次のデータが登録されていることを特徴とする移動端末を用いたゴルフコースデータ提供システム。
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【請求項３】
請求項２において、
前記送信画像データ生成部は、前記（ａ）〜（ｆ）の全てを含む送信画像データを生成することを特徴とする移動端末を用いたゴルフコースデータ提供システム。
【請求項４】
請求項３において、
前記移動端末から前記（ａ）〜（ｆ）のうちいずれか一つのデータ要求を受信すると、前記送信画像データ生成部は、前記コース全体図の上に要求データのみを異なる形態で表示可能な送信画像データを生成することを特徴とする移動端末を用いたゴルフコースデータ提供システム。
【請求項５】
請求項４において、
前記送信画像データには、データ要求のあった前記移動端末の位置から当該移動端末が位置しているコースのピンまでの距離および／または方向が含まれていることを特徴とする移動端末を用いたゴルフコースデータ提供システム。
【請求項６】
請求項４または５において、
前記送信画像データには、データ要求のあった前記移動端末の位置からピンまでの方向と、バンカーおよび／または池までの方向とのなす角度が含まれていることを特徴とする移動端末を用いたゴルフコースデータ提供システム。
【請求項７】
請求項４、５または６において、
データ要求のあった前記移動端末がグリーン上に位置している場合には、当該位置からピンまでがフックラインおよびスライスラインのいずれであるかなどを含むアプローチ方法に関する情報が含まれていることを特徴とする移動端末を用いたゴルフコースデータ提供システム。
【請求項８】
請求項１ないし７のうちのいずれかの項において、
前記位置検出手段は、ＧＰＳシステムを利用して前記移動端末の位置を検出するものであることを特徴とする移動端末を用いたゴルフコースデータ提供システム。
【請求項９】
携帯電話などの移動端末からのデータ要求を受信すると、当該移動端末に対してゴルフコースデータを送信するゴルフデータ提供装置であって、
ゴルフコースデータが記憶保持されているゴルフコースデータベースと、
前記移動端末からのデータ要求を受信する受信部と、
データ要求のあった前記移動端末が位置しているゴルフコースに関するデータを、前記ゴルフコースデータベースから検索して送信画像データを生成する送信画像データ生成部と、
生成された送信画像データを前記移動端末に送信する送信部と、
前記ゴルフコースデータベースの編集および更新を行う編集・更新部とを有していることを特徴とするゴルフデータ提供装置。
【請求項１０】
請求項９において、
前記ゴルフコースデータベースには、少なくとも次のデータが登録されていることを特徴とするゴルフデータ提供装置。
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【請求項１１】
請求項１０において、
前記送信画像データ生成部は、前記（ａ）〜（ｆ）の全てを含む送信画像データを生成することを特徴とするゴルフデータ提供装置。
【請求項１２】
請求項１１において、
前記移動端末から前記（ａ）〜（ｆ）のうちいずれか一つのデータ要求を受信すると、前記送信画像データ生成部は、前記コース全体図の上に要求データのみを異なる形態で表示可能な送信画像データを生成することを特徴とするゴルフデータ提供装置。
【請求項１３】
請求項１２において、
前記送信画像データには、データ要求のあった前記移動端末の位置から当該移動端末が位置しているコースのピンまでの距離および／または方向が含まれていることを特徴とするゴルフデータ提供装置。
【請求項１４】
請求項１２または１３において、
前記送信画像データには、データ要求のあった前記移動端末の位置からピンまでの方向と、バンカーおよび／または池までの方向とのなす角度が含まれていることを特徴とするゴルフデータ提供装置。
【請求項１５】
請求項１２、１３または１４において、
データ要求のあった前記移動端末がグリーン上に位置している場合には、当該位置からピンまでのアプローチ方法に関する情報が含まれていることを特徴とするゴルフデータ提供装置。
【請求項１６】
請求項９ないし１５のうちのいずれかの項において、
ＧＰＳなどの航法情報を利用して前記移動端末の位置を検出する位置検出部を備えていることを特徴とするゴルフデータ提供装置。
【発明の詳細な説明】
【０００１】
【発明の属する技術分野】
本発明は、携帯電話などの移動端末を利用して、ゴルフコース上においてプレーヤの実際の位置からピンまでのアプローチ情報をリアルタイムで入手可能な移動端末を用いたゴルフコースデータ提供システムに関するものである。
【０００２】
【従来の技術】
ゴルフのプレーヤは、ゴルフコース上においてキャディからアプローチの方向やピンまでの距離、池やバンカーの位置、あるいはＯＢ位置などを聞きながらプレーをしているのが一般的である。しかしながら、プレーヤによっては自分でアプローチの方向や方法、ピンまでの距離などを判断してプレーを行うことを希望する場合がある。また、キャディが付かない場合のプレーでは、プレーヤがアプローチの方向や距離を判断せざるを得ない。一方、キャディは木立や杭などを目印にしてピンまでの距離などを目測しているので、常に正確に距離を目測できるわけではない。特に、ティーの位置においてグリーン上などの風向きを判断することは容易でない。
【０００３】
そこで、例えば、ゴルフカートの走行を管理しているゴルフ場管理システムを利用して、ゴルフコースの地形図や風向きなどの情報を、ゴルフカートに送信して、各プレーヤに提供することが考えられる。ゴルフカートを利用して情報の伝送を行うシステムは例えば次の特許文献に開示されている。
【０００４】
【特許文献】
特開平６−３３５５４６号公報
【０００５】
【発明が解決しようとする課題】
しかしながら、ゴルフカートを利用してゴルフコースに関する情報を各プレーヤに伝送する方法では、次のような問題点がある。
【０００６】
まず、ゴルフカートの位置に基づきプレーヤがいずれのホールでプレーしているのかは判断できるが、ゴルフカートと各プレーヤの位置とは離れている場合が殆どである。このため、各プレーヤの位置を正確に検出できないので、各プレーヤからピン位置までの距離を個別に各プレーヤに知らせることができない。また、各プレーヤからピン位置までの方向や、その方向の上空における風向きなどのアプローチ情報も各プレーヤに提供することができない。
【０００７】
また、ゴルフカートの走行路は、グリーンから外れた位置に沿って形成されているので、各プレーヤがプレー毎にゴルフカートまで行き、そこに搭載されている情報受信装置の画面を確認することは面倒であり、また、リアルタイムで各プレーヤのアプローチ情報を提供することができない。
【０００８】
本発明の課題は、このような点に鑑みて、携帯電話などの移動端末を利用して、ゴルフコース上においてプレーヤの実際の位置からピンまでのアプローチ情報をリアルタイムで各プレーヤに提供可能な移動端末を用いたゴルフコースデータ提供システムを提案することにある。
【０００９】
【課題を解決するための手段】
上記の課題を解決するために、本発明の移動端末を用いたゴルフコースデータ提供システムは、
携帯電話などの移動端末と、
この移動端末の位置を検出する移動端末位置検出手段と、
ゴルフコース情報が記憶保持されているゴルフコースデータベースと、
このゴルフコースデータベースに登録されているデータを前記移動端末からの要求に応じて当該移動端末に送信するゴルフデータ提供装置とを有し、
前記ゴルフデータ提供装置は、
前記移動端末からのデータ要求を受信する受信部と、
前記位置検出手段によって検出された前記移動端末の位置および前記データ要求に基づき、前記移動端末に提供すべき送信画像データを前記ゴルフコースデータベースの登録内容に基づき生成する送信画像データ生成部と、
生成された送信画像データを前記移動端末に送信する送信部と、
前記ゴルフコースデータベースの編集および更新を行う編集・更新部とを備えている
ことを特徴としている。
【００１０】
ここで、前記ゴルフコースデータベースには、少なくとも次の（ａ）〜（ｆ）のデータが登録されていることが望ましい。
【００１１】
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【００１２】
この場合、前記送信画像データ生成部は、前記（ａ）〜（ｆ）の全てを含む送信画像データを生成するように構成すればよい。
【００１３】
これと共に、前記移動端末から前記（ａ）〜（ｆ）のうちいずれか一つのデータ要求を受信すると、前記送信画像データ生成部は、前記コース全体図の上に要求データのみを異なる形態で表示可能な送信画像データを生成するようにしてもよい。
【００１４】
また、前記送信画像データには、データ要求のあった前記移動端末の位置から当該移動端末が位置しているコースのピンまでの距離および／または方向が含まれたものとすることができる。
【００１５】
さらに、前記送信画像データには、データ要求のあった前記移動端末の位置からピンまでの方向と、バンカーおよび／または池までの方向とのなす角度が含まれているものとすることができる。
【００１６】
これに加えて、データ要求のあった前記移動端末がグリーン上に位置している場合には、当該位置からピンまでがフックラインおよびスライスラインのいずれであるかなどを含むアプローチ方法に関する情報が含まれていることが望ましい。
【００１７】
なお、前記位置検出手段は、ＧＰＳシステムを利用して前記移動端末の位置を検出する構成とすることができる。
【００１８】
次に、本発明は、上記構成のゴルフコースデータ提供システムに用いられるゴルフデータ提供装置に関するものである。すなわち、携帯電話などの移動端末からのデータ要求を受信すると、当該移動端末に対してゴルフコースデータを送信するゴルフデータ提供装置であって、
ゴルフコースデータが記憶保持されているゴルフコースデータベースと、
前記移動端末からのデータ要求を受信する受信部と、
データ要求のあった前記移動端末が位置しているゴルフコースに関するデータを、前記ゴルフコースデータベースから検索して送信画像データを生成する送信画像データ生成部と、
生成された送信画像データを前記移動端末に送信する送信部と、
前記ゴルフコースデータベースの編集および更新を行う編集・更新部とを有していることを特徴としている。
【００１９】
ここで、前記ゴルフコースデータベースには、少なくとも次のデータが登録されていることが望ましい。
【００２０】
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【００２１】
また、前記送信画像データ生成部は、前記（ａ）〜（ｆ）の全てを含む送信画像データを生成するように構成することができる。
【００２２】
さらに、前記移動端末から前記（ａ）〜（ｆ）のうちいずれか一つのデータ要求を受信すると、前記送信画像データ生成部は、前記コース全体図の上に要求データのみを異なる形態で表示可能な送信画像データを生成するように構成することができる。
【００２３】
この場合、前記送信画像データには、データ要求のあった前記移動端末の位置から当該移動端末が位置しているコースのピンまでの距離および／または方向が含まれていることが望ましい。
【００２４】
また、前記送信画像データには、データ要求のあった前記移動端末の位置からピンまでの方向と、バンカーおよび／または池までの方向とのなす角度が含まれていることが望ましい。
【００２５】
さらに、データ要求のあった前記移動端末がグリーン上に位置している場合には、当該位置からピンまでのアプローチ方法に関する情報が含まれていることが望ましい。
【００２６】
次に、本発明のゴルフデータ提供装置は、ＧＰＳなどの航法情報を利用して前記移動端末の位置を検出する位置検出部を備えたものとすることができる。
【００２７】
【発明の実施の形態】
以下に、図面を参照して本発明を適用した携帯電話を用いたゴルフコースデータ提供システムを説明する。
【００２８】
（全体構成）
図１は、本例のゴルフコースデータ提供システムを示す全体構成図である。本例のゴルフコースデータ提供システム１は、ゴルフ場の管理施設に設置されているゴルフデータ提供装置２と、各ゴルフプレーヤが所持している携帯電話３（３（１）、３（２）、３（３）・・・）と、各携帯電話３の位置を検出するために用いるＧＰＳシステム４と、携帯電話３とゴルフデータ提供装置２の間を繋ぐ携帯電話通信網５から構成される。
【００２９】
ゴルフデータ提供装置２は、ゴルフ場の各ホールのコースデータが登録されているゴルフコースデータベース２１と管理サーバ２２とを備えている。管理サーバ２２は、各携帯電話３との間でデータの送受信を行う送受信部２３と、携帯電話３からの受信データおよびＧＰＳシステム４から提供される航法情報に基づき携帯電話３の位置を検出する位置検出部２４と、携帯電話３からのデータ要求に応じて、ゴルフコースデータベース２１に登録されているデータに基づき携帯電話３に提供すべき送信画像データを作成する送信画像データ生成部２５を備えている。また、キーボードなどの入力部２６と、液晶表示器やプリンタなどの出力部２７と、入力部２６からの入力データに基づき、ゴルフコースデータベース２１の登録内容を編集および更新する編集・更新部２８を備えている。
【００３０】
上記のゴルフコースデータベース２１には各ホール毎に次の情報が登録されている。
【００３１】
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【００３２】
各携帯電話３は、液晶表示器３１と、テンキーやファンクションキーが配列されている操作部３２とを備えた一般的に使用されているものである。
【００３３】
この構成のゴルフコースデータ提供システム１においては、携帯電話３からゴルフデータ提供装置２への発呼があり、これらの間の通信回線が確立すると、ゴルフデータ提供装置２は携帯電話３の位置を検出した後に、当該携帯電話３が位置しているゴルフコースに関するアプローチ用の送信画像データを作成して当該携帯電話３に送信する。携帯電話３の側では受信した画像データを液晶表示器３１に表示する。この後に、携帯電話３から特定の画像データの送信要求があると、ゴルフデータ提供装置２の側ではそれに対応した画像データを作成して当該携帯電話３に送信する。
【００３４】
例えば、本例においては、携帯電話３のテンキー「１」〜「６」のテンキー操作により、上記の各データ（ａ）〜（ｆ）のそれぞれがゴルフデータ提供装置２の側から送信され、携帯電話３の液晶表示器３１上に表示可能である。また、テンキー「７」の操作により、グリーン上におけるアプローチ情報がゴルフデータ提供装置２の側から送信されて、携帯電話３の液晶表示器３１の画面上に表示可能となっている。
【００３５】
（動作の説明）
図２は本例のゴルフコースデータ提供システム１の動作例を示す概略フローチャートであり、図３は携帯電話の画面上に表示される表示画像の例示す説明図である。
【００３６】
まず、ゴルフプレーヤがゴルフコースのアプローチ情報を取得したい場合には、所持している携帯電話３によりゴルフデータ提供装置２を呼び出し（ステップＳＴ３１）、これらの間の通信を確立する（ステップＳＴ２１）。通信が確立すると、ゴルフデータ提供装置２の位置検出部２４では送受信部２３を介して得られる携帯電話３からの受信データとＧＰＳシステム４からの位置情報に基づき、携帯電話３の位置を確認する。換言すると、プレーヤのプレー位置を確認する（ステップＳＴ２２）。
【００３７】
この後は、送信画像データ生成部２５はゴルフコースデータベース２１の登録内容に基づき、携帯電話３が位置しているゴルフコース（ホール）のアプローチ情報の全てが表示された送信画像データＤ０を作成して、携帯電話３に送信する（ステップＳＴ２３）。携帯電話３では液晶表示器３１の表示画面３１ａに受信した画像データＤ０が表示される（ステップＳＴ３２）。図３（ａ）に示すように、この表示画像Ｄ０は、上記の（ａ）〜（ｆ）の全てのデータが画像表示される。すなわち、ティーアップ位置５１およびグリーン位置５２を含むホールのコース全体図６１と、バンカー位置６２と、ピン穴位置６３と、池のあるコースの場合にはその池位置６４と、ＯＢがある場合にはそのＯＢライン６５と、風向き６６がそれぞれ画像表示される。これと共に、携帯電話３の位置、換言すると当該携帯電話３を所持しているプレーヤの位置６７が点滅表示される。
【００３８】
この後に、携帯電話３のテンキー「１」〜「６」のいずれかを押すと、操作されたテンキーに対応する画像データがゴルフデータ提供装置２の送信画像データ生成部２５において作成されて携帯電話３に送信され、携帯電話３の画面表示が、それぞれ、ティーアップ位置５１およびグリーン位置５２を含むホールのコース全体図６１の輪郭のみが点滅する表示画像Ｄ１、バンカー位置６２のみが点滅する表示画像Ｄ２、ピン穴位置６３のみが点滅する表示画像Ｄ３、池のあるコースの場合にはその池位置６４のみが点滅する表示画像Ｄ４、ＯＢがある場合にはそのＯＢライン６５のみが点滅する表示画像Ｄ５および、風向き６６を表す矢印のみが点滅する表示画像Ｄ６に切り替わる（ステップＳＴ３３、ＳＴ２４、ＳＴ２５、ＳＴ３４）。
【００３９】
また、プレーヤがグリーン上にいる場合には、テンキー「７」の操作により、グリーン上におけるアプローチ情報がゴルフデータ提供装置２の側から送信されて、携帯電話３の液晶表示器３に、例えば、図３（ｂ）に示すような表示画像Ｄ７が表示される。この表示画像Ｄ７では、携帯電話３の位置にゴルフボール７１が表示され、ピン７２およびピン穴７３が表示され、さらに、ゴルフボール７１からピン穴７２までの距離ｘが表示される。これに加えて、ゴルフボール７１からピン穴７２までのアプローチライン（フックライン、スライスライン）を線画７４で表示してもよい。
【００４０】
さらに、同一のテンキー「１」〜「７」のいずれかが繰り返し押されると、本例では、拡大表示モードに切り替わり、各表示画像Ｄ１〜Ｄ７が拡大表示される。例えば、テンキー「３」を２回連続して押すと、図３（ｃ）に示すように、表示画像Ｄ３が拡大表示される。本例の拡大表示画像Ｄ３Ａでは、ゴルフボール７１からピン穴７３までの距離ｘと、ゴルフボール７１からピン穴７３までの方向とゴルフボール７１からグリーンに隣接しているバンカー６２までの方向との間のなす角度ｙが表示される。また、風向き表示６６も併せて表示される。
【００４１】
なお、各表示画像Ｄ１〜Ｄ７の表示形態、および、各画像Ｄ１〜Ｄ７の拡大表示画像としては各種の形態のものが考えられる。また、拡大表示モードへの移行のための操作キーはテンキーを２回連続して操作する代わりに、ファンクションキーを割り当てるようにしてもよい。さらに、拡大表示モードから通常の表示モードへの復帰もテンキーの連続操作あるいはファンクションキーの操作により行うことができる。
【００４２】
携帯電話の操作部におけるオフキーＯＦＦが操作されると、携帯電話３とゴルフデータ提供装置２との間の通信回線が切断される（ステップＳＴ３５）。これにより携帯電話３によるデータ取得動作が終了する。また、ゴルフデータ提供装置２では携帯電話３からのデータ要求の待機モード（ステップＳＴ２６）に移行して次のデータ要求を待つ。
【００４３】
（その他の実施の形態）
なお、上記の実施例では、ＧＰＳシステムを利用して携帯電話３の位置を検出しているが、携帯電話３自体によりその位置を検出してゴルフデータ提供装置の側に位置情報を送信するようにしてもよい。また、携帯電話の基地局において携帯電話の位置を検出して、ゴルフデータ提供装置の側に送信するようにしてもよい。勿論、車載型のナビゲーションシステムと同様に、携帯電話においてＧＰＳシステムからの航法情報を取得してその位置を検出してゴルフデータ提供装置の側に送信してもよい。
【００４４】
一方、上記の例は携帯電話を利用してゴルフコースデータ提供システムを構築した例であるが、携帯電話以外の移動端末、例えばＰＨＳを用いてシステムを構築することも可能であり、モーバイルコンピュータを用いてシステムを構築することも可能である。
【００４５】
【発明の効果】
以上説明したように、本発明による移動端末を用いたゴルフコースデータ提供システムによれば、移動端末を所持しているゴルフプレーヤによる実際のプレー位置からピンへのアプローチ情報を、リアルタイムで、しかも正確に提供することが可能になる。
【図面の簡単な説明】
【図１】本発明を適用したゴルフコースデータ提供システムの全体構成を示す概略ブロック図である。
【図２】図１のシステムによるゴルフコースデータの提供動作を示す概略フローチャートである。
【図３】（ａ）〜（ｃ）は、図１のシステムにおける携帯電話の表示画像例を示す説明図である。
【符号の説明】
１　　ゴルフコースデータ提供システム
２　　ゴルフデータ提供装置
３　　携帯電話
４　　ＧＰＳシステム
２１　ゴルフコースデータベース
２２　管理サーバ
２３　送受信部
２４　位置検出部
２５　送信画像データ生成部
２６　入力部
２７　出力部
２８　編集・更新部
【図１】
2004120454.tif 000003
【図２】
2004120454.tif 000004
【図３】
2004120454.tif 000005